(57)【要約】【課題】瞬時停電でも強制点灯モードへ移行せず、無駄な電力消費が行われることのない。【解決手段】人が存在するか否かを検出する人感センサ２２と；照明を行う照明負荷１１と；照明負荷１１の点灯を行う点灯回路１０と；照明負荷１１を強制点灯させるためのスイッチ２１と；人感センサ２２の出力に基づき照明負荷の点灯・不点灯を制御するセンサモードと、スイッチ２１の操作を受けて照明負荷１１を強制点灯させる強制点灯モードとにより制御を行い、強制点灯モードへ移行する際には人感センサ２２が人の存在を検出していることを条件として、点灯回路１０に照明負荷１１を強制点灯させる制御を行う照明制御部２０と；を具備する。【選択図】図１
2008311202.tif 000002
【特許請求の範囲】
【請求項１】
人が存在するか否かを検出する人感センサと；
負荷のオン・オフまたは、レベル制御を負荷制御回路と；
負荷を強制オンさせるためのスイッチと；
人感センサの出力に基づき負荷のオン・オフを制御するセンサモードと、スイッチの操作を受けて負荷を強制オンさせる強制オンモードとにより制御を行い、強制オンモードへ移行する際には人感センサが人の存在を検出していることを条件として、負荷制御回路に負荷を強制オンさせる制御を行う負荷制御部と；
を具備することを特徴とする人体検知機能付負荷制御装置。
【請求項２】
タイマを備え、負荷制御部は、負荷制御回路に負荷を強制オンさせた後に、人感センサの出力とタイマに基づき第１の所定時間連続して人が不存在であることを検出した場合に、センサモードへ移行することを特徴とする請求項１に記載の人体検知機能付負荷制御装置。
【請求項３】
センサモードにおいては、負荷制御部は、人感センサの出力とタイマに基づき第１の所定時間よりも短い第２の所定時間連続して人が不存在であることを検出した場合に、負荷制御回路に負荷をオフまたはレベル制御を行わせることを特徴とする請求項２に記載の人体検知機能付負荷制御装置。
【発明の詳細な説明】
【技術分野】
【０００１】
本発明は、人感センサの出力に基づき照明負荷の点灯・不点灯を制御するセンサモードと、照明負荷を強制オンさせるためのスイッチの操作を受けて照明負荷を強制点灯させる強制点灯モードとにより照明制御を行う照明装置などの人体検知機能付負荷制御装置に関するものである。
【背景技術】
【０００２】
従来の上記のような照明装置において、照明負荷を強制点灯させるためのスイッチは、例えば壁などに設けられた電源用片切りスイッチなどと称されるもので、通常の操作により照明装置をオンとし、また元へ戻すスイッチ操作により照明装置をオフとするものである。
【０００３】
一方、人感センサは、天井などに設けられた照明負荷の筐体に付設され、或いは壁などに設けられる電源用片切りスイッチの筐体に付設され、人体の熱線を検知し、検知信号を出力するものである。人感センサを用いた照明装置では、電源用片切りスイッチなどのスイッチにより電源がオンとされた後には人感センサの検出出力に基づき照明負荷をオン・オフ制御するセンサモードへ移行する。
【０００４】
センサモードでは、人が存在しない場合に対応する人感センサの出力が所定時間継続すると、照明負荷を自動消灯するので、自動消灯を回避したい場合などのために、強制点灯モードが設けられている。この強制点灯モードへ移行させるために、上記電源用片切りスイッチなどのスイッチが用いられ、通常はスイッチにより電源瞬断操作があると強制点灯モードへ移行するように構成されている（例えば、特許文献1参照）。
【０００５】
しかしながら、上記の構成によると瞬時停電があった場合にも、スイッチにより電源瞬断操作がなされたと誤検出して、強制点灯モードへ移行し、無駄な電力消費が行われる可能性があった。これに対する対策として、スイッチによる電源瞬断操作に代えて、所定時間内にスイッチが所定回数オン・オフされたことを条件として強制点灯モードへ移行するようにした照明装置が知られている。この照明装置では、瞬時停電があった場合の誤動作を防止できるが、強制点灯モードへ移行するためのスイッチ操作が煩わしく、反って利便性が損なわれる可能性があった。
【０００６】
また、特許文献１には、人感センサと照度センサを併用し、強制点灯モードへ移行させるスイッチ操作が行われた場合に、照度センサが所定照度以上を検出している場合にセンサモードを優先する照明装置が開示されている。
【０００７】
上記特許文献１の照明装置では、照明負荷が不点灯などで、照度センサが所定照度以上を検出しない場合には、強制点灯モードへ移行することになり、誤動作対策としては不十分なものであった。
【特許文献１】特開２００１−２３７０８号公報
【発明の開示】
【発明が解決しようとする課題】
【０００８】
本発明は上記のような従来の照明装置などの人体検知機能付負荷制御装置が有している問題点を解決せんとしてなされたもので、その目的は、瞬時停電があった場合に強制オンモードへ移行することなく、無駄な電力消費が行われることのない人体検知機能付負荷制御装置を提供することである。
【課題を解決するための手段】
【０００９】
本発明に係る人体検知機能付負荷制御装置は、人が存在するか否かを検出する人感センサと；負荷のオン・オフまたは、レベル制御を負荷制御回路と；負荷を強制オンさせるためのスイッチと；人感センサの出力に基づき負荷のオン・オフを制御するセンサモードと、スイッチの操作を受けて負荷を強制オンさせる強制オンモードとにより制御を行い、強制オンモードへ移行する際には人感センサが人の存在を検出していることを条件として、負荷制御回路に負荷を強制オンさせる制御を行う負荷制御部と；を具備することを特徴とする。
【００１０】
負荷は、照明負荷のほか、換気扇、空調機器などである。レベル制御は、出力レベルの制御などを意味する。人感センサは、赤外線センサなどの熱検出を行うもの、超音波センサなどを許容する。人感センサは、壁にスイッチと共に設けられていても良く、負荷制御回路や負荷の筐体に設けられていても良く、更には天井などに単独で設置されていても良い。スイッチは、壁などに設けられる電源用片切りスイッチなどを用いることができる。スイッチの電源瞬断操作を受けて強制オンモードに入るようにしても良く、また、スイッチにより電源オフとする時間が所定時間の場合に強制オンモードに入るようにしても良い。負荷制御回路は、負荷のオン・オフのみならず、負荷制御部からの制御によりレベル制御を行うものも許容する。
【００１１】
本発明に係る人体検知機能付負荷制御装置は、タイマを備えており、負荷制御部は、負荷制御回路に負荷を強制オンさせた後に、人感センサの出力とタイマに基づき第１の所定時間連続して人が不存在であることを検出した場合に、センサモードへ移行することを特徴とする。
【００１２】
本発明に係る人体検知機能付負荷制御装置は、センサモードにおいては、負荷制御部は、人感センサの出力とタイマに基づき第１の所定時間よりも短い第２の所定時間連続して人が不存在であることを検出した場合に、負荷制御回路に負荷をオフまたはレベル制御を行わせることを特徴とする。
【発明の効果】
【００１３】
本発明に係る人体検知機能付負荷制御装置では、人感センサの出力に基づき負荷のオン・オフを制御するセンサモードと、スイッチの操作を受けて負荷を強制オンさせる強制オンモードとにより制御を行い、強制オンモードへ移行する際には人感センサが人の存在を検出していることを条件として、負荷制御回路に負荷を強制オンさせる制御を行うので、人が居ない場合に負荷を強制オンさせるためのスイッチ操作を受けても強制オンモードへ移行することがなく、誤動作などを防止することができ、無駄なく強制オンモードへ移行する。
【００１４】
本発明に係る人体検知機能付負荷制御装置では、タイマを備え、負荷制御部は、負荷制御回路に負荷を強制オンさせた後に、人感センサの出力とタイマに基づき第１の所定時間連続して人が不存在であることを検出した場合に、センサモードへ移行するので、負荷の強制オンが不必要に長く続くことがなく、適切な負荷制御がなされる。
【００１５】
本発明に係る人体検知機能付負荷制御装置では、センサモードにおいては、負荷制御部は、人感センサの出力とタイマに基づき第１の所定時間よりも短い第２の所定時間連続して人が不存在であることを検出した場合に、負荷制御回路に負荷をオフまたはレベル制御を行わせるので、強制オンモードにおいて人が不存在であることを検出した場合に負荷の強制オンが継続する第１の所定時間は、センサモードにおいて負荷がオフへと到る第２の所定時間よりも長いので、強制オンさせる意図に応じたある程度長い時間を設定可能である。
【発明を実施するための最良の形態】
【００１６】
以下添付図面を参照して、本発明に係る人体検知機能付負荷制御装置の実施例を説明する。本実施例において、「電源遮断」の操作とは、照明負荷および点灯回路の電力供給を元から断つことを意味し、例えば、ブレーカや上流側のリレースイッチにより電源遮断が行われる。また、「電源瞬断」の操作とは、後に説明する瞬断スイッチであるスイッチ２１の操作により、極めて僅かな間においてだけ点灯回路への電力供給を停止させることを意味し、「電源オフ」の操作とは、後に説明する瞬断スイッチであるスイッチ２１の操作により、「電源瞬断」よりも長い時間において点灯回路への電力供給を停止させることを意味する。図１には、人体検知機能付負荷制御装置である照明装置の実施例の構成図が示されている。点灯回路１０には、蛍光灯やランプなどの通常は天井などに配置される照明負荷１１が接続されている。点灯回路１０には、例えば１００Ｖの商用交流電源１２から電力が供給され、点灯回路１０は、この電力により照明負荷１１の点灯・消灯などを行う。
【００１７】
点灯回路１０には照明制御部２０が備えられており、商用交流電源１２から点灯回路１０へ到る電源ラインにはスイッチ２１が設けられている。スイッチ２１は、例えば壁などに設けられる瞬断スイッチで、前述の「電源オフ」の操作により商用交流電源１２からの電源供給をオフとし、また「電源瞬断」の操作を行うために用いられるものである。スイッチ２１は、勿論「電源オン」のためにも用いられる。
【００１８】
照明制御部２０は、スイッチ２１による操作を監視すると共に点灯回路１０には人感センサ２２が設けられており、照明制御部２０は、人感センサ２２による人が存在するか否かに応じた信号を取り込むように構成されている。点灯回路１０にはタイマ２３が備えられており、照明制御部２０はスイッチ２１の操作、人感センサ２２の出力信号及びタイマ２３に基づき、例えばリレースイッチである片切スイッチ２１ａを制御して照明負荷１１の点灯・消灯などを実行させる。
【００１９】
照明制御部２０の具体的な動作は、図２の状態遷移図と図３のフローチャートに示されるように行われるので、これらに基づき動作を説明する。「電源遮断」の操作を行うブレーカ等はオンである。スイッチ２１により電源オンとされる前には、電源オフであり点灯回路１０は図２の停止中（照明負荷１１は消灯状態）Ｔ１１にある。スイッチ２１により電源投入されると図３のフローチャートにおいてスタートとなり、人感センサ２２による検出を行う図２のセンサモードＴ１２へ遷移する（Ｓ１１）。センサモードＴ１２の処理に続いてスイッチ２１による電源オフの検出（Ｓ１２）と、スイッチ２１による電源瞬断操作の検出（Ｓ１３）を行う。
【００２０】
ステップＳ１２においてスイッチ２１による電源オフがなされたことを検出した場合には、照明負荷１１への給電を停止する制御を行い（Ｓ１４）、エンドとなる。これにより図２では停止中Ｔ１１へ戻る。また、ステップＳ１３においてスイッチ２１による電源瞬断操作が検出された場合においては、人感センサ２２による出力を受けて人の存在を判定し（Ｓ１５）、人が居ると判定されると照明負荷１１の連続点灯を行う図２の強制点灯モードＴ１３へ遷移する（Ｓ１６）。
【００２１】
強制点灯モードＴ１３の処理に続いて、図３のフローチャートに示すようにスイッチ２１による電源オフの検出（Ｓ１７）と、人感センサ２２とタイマ２３に基づき第１の所定時間ｔ１継続して人の存在無しの状態であるかを検出し（Ｓ１８）、ステップＳ１７においてＹＥＳとなると照明負荷１１への給電を停止する制御を行い（Ｓ１９）、エンドとなる。これにより図２では停止中Ｔ１１へ戻る。
【００２２】
また、上記ステップＳ１８においてＹＥＳとなると、人感センサ２２による検出に基づき照明負荷１１の点灯・不点灯を制御する図２のセンサモードＴ１２へ遷移する（Ｓ１１）。なお、ステップＳ１７とステップＳ１８の間に電源瞬断の検出を行い、瞬断ありを検出した場合にセンサモードＴ１２へ遷移するように機能させても良い。
【００２３】
図２のセンサモードＴ１２においては、図４に示されるフローチャートに従って処理が行われる。つまり、人感センサ２２による出力を受けて人の存在を判定し（Ｓ３１）、人が居ると判定されると照明負荷１１の点灯の制御を行う（Ｓ３２）。これに続き、人感センサ２２による出力を受けて人の存在を判定し（Ｓ３３）、ステップＳ３３において人が居ないことが検出されると、タイマ２３を起動し（Ｓ３４）、第２の所定時間ｔ２（ｔ１＞ｔ２）の経過を検出する（Ｓ３５）。
【００２４】
ステップＳ３５においてＮＯとなると、人感センサ２２による出力を受けて人の存在を判定し（Ｓ３７）、ステップＳ３７において人が居ないことが検出されるとステップＳ３５へ戻り、ステップＳ３７において人が居ることが検出されるとタイマ２３を停止して（Ｓ３８）、ステップＳ３４へ戻って動作を続ける。
【００２５】
また、ステップＳ３５においてＹＥＳとなると、照明負荷１１の消灯の制御を行い（Ｓ３６）、ステップＳ３１へ戻って処理を続ける。このようにして、上記の強制点灯モードＴ１３へ遷移する場合には、ステップＳ１３においてスイッチ２１による電源瞬断操作が検出されたことに加えて、人感センサ２２による出力を受けて人の存在を判定し（Ｓ１５）、人が居ると判定されることを条件としており、誤動作などを防止することができると共に、人感センサ２２の検知範囲に人が居る場合に照明負荷が点灯されることになり、無駄なく強制点灯モードへ移行することになる。
【００２６】
ステップＳ１３においてスイッチ２１による電源瞬断操作の検出を行い、強制点灯モードへ移行する一条件としたが、図３のステップＳ１３に代えて図５に示されるフローチャートによる処理を行っても良い。すなわち、ステップＳ１２に続いてスイッチ２１による電源断操作を検出し（Ｓ４１）、タイマ２３をスタートさせ（Ｓ４２）、スイッチ２１による電源断時間についてタイマ２３を参照して所定時間内かを判定して（Ｓ４３）、ステップＳ４３にてＹＥＳとなるとステップＳ１５へ進む。このようにスイッチ２１による電源断時間を緩和して、強制点灯モードとする操作を行い易くし、瞬断的停電と区別可能とすることもできる。
【図面の簡単な説明】
【００２７】
【図１】本発明に係る実施例の照明装置の構成図。
【図２】本発明に係る実施例の照明装置による照明制御の状態遷移を示す図。
【図３】本発明に係る実施例の照明装置による照明制御を示すフローチャート。
【図４】本発明に係る実施例の照明装置による照明制御におけるセンサモードの動作を示すフローチャート。
【図５】本発明に係る実施例の照明装置による照明制御の他の例を示すフローチャート。
【符号の説明】
【００２８】
１０  点灯回路
１１  照明負荷
１２  商用交流電源
２０  照明制御部
２１  スイッチ
２２  人感センサ
２３  タイマ
【図１】
2008311202.tif 000003
【図２】
2008311202.tif 000004
【図３】
2008311202.tif 000005
【図４】
2008311202.tif 000006
【図５】
2008311202.tif 000007